(57)【要約】      （修正有）【課題】収納した物品の左右上下への移動を防止することができ、且つ、個々の物品の外力による緩衝を防ぐことができる物品収納容器を提供する。【解決手段】底部５、側壁部６及び側壁部の上端部より外方へ突出した鍔部７を形成して上方を開口部とした透明又は半透明のプラスチックで、開口部を弾発力の強い可撓性フィルム８で被覆し、可撓性フィルムの端部を鍔部上面にて固定した蓋側容器２と、底部９、側壁部１０、側壁部の上端部より外方へ突出した鍔部１１及び底部より上方へ立ち上げた内壁を形成した仕切部１２を設けていくつかの小空間部Ｓを形成した上方を開口部とした透明又は半透明のプラスチックで、仕切部は２重壁としてその上端を鍔部より底部側に下げた位置で連結した物品配設側容器３とよりなる。両容器の鍔部の一片側を連結してヒンジ部４として両容器を開閉自在とし、小空間部を衝撃に弱い物品の収納部とした。【選択図】図１
0003201756.tif 000002
【実用新案登録請求の範囲】
【請求項１】
底部、側壁部及び該側壁部の上端部より外方へ突出した鍔部を形成して上方を開口部とした透明又は半透明のプラスチックで、該開口部を弾発力の強い可撓性フィルムで被覆し、該可撓性フィルムの端部を該鍔部上面にて固定してなる蓋側容器と、底部、側壁部、該側壁部の上端部より外方へ突出した鍔部及び該底部より上方へ立ち上げた内壁を形成した仕切部を設けていくつかの小空間部を形成した上方を開口部とした透明又は半透明のプラスチックで、該仕切部は小間隔の空間のある２重壁としてその上端相互を鍔部より底部側に下げた位置で天端部として連結してなる物品配設側容器とよりなり、両容器の該鍔部の一片側相互を連結してヒンジ部として該両容器を開閉自在とし、該小空間部を衝撃に弱い物品の収納部としてなることを特徴とする物品収納容器。
【請求項２】
可撓性フィルムは、鍔部に溶着一体化してなることを特徴とする請求項１記載の物品収納容器。
【請求項３】
両鍔部の対向位置に着脱自在の係止部を設けてなることを特徴とする請求項１又は２記載の物品収納容器。
【請求項４】
側壁部に内側へ突出する突出部を形成してなることを特徴とする請求項１乃至３のいずれか記載の物品収納容器。
【請求項５】
両鍔部又は物品配設側容器の鍔部に通風連通孔を設けてなることを特徴とする請求項１乃至４のいずれか記載の物品収納容器。
【考案の詳細な説明】
【技術分野】
【０００１】
本考案は、薬品、化粧品等の様々な付加価値の高い流体を入れた小瓶、精密機器類等の外形は硬いが、衝撃に弱い物品等を物品相互が接触するおそれがない状態及び個々の物品に外力が伝わるのを防ぐことのできる状態で強固に保持することのできる収納容器に関する。
【背景技術】
【０００２】
従来より、衝撃に弱い物品を移送する手段として、緩衝材で包んだり、容器と物品との隙間間或いは物品相互間に緩衝材を設けたり、発泡スチロールのような弾性体に物品の形状に合った凹部を形成し該凹部を物品の収納部とした等の各種緩衝手段が使用されているが、近年、可撓性フィルム等の弾力の有る挟持体間に物品を挟んで保持する手段が見受けられるようになった。
【０００３】
特許文献１は、図５に示すように、上下の柔軟なネットＡ、Ｂ間にイチゴ、サクランボ、ビワ等の青果物或いは魚、肉等の比較的軟らかな生鮮食料品となる物品Ｃを挟持し、それらを潰すことなく固定している生鮮食料品収納容器である。
【０００４】
また、特許文献２は、図６に示すように、段ボール紙等の弾力が得られる板体Ｄの上面に可撓性フィルムＥを固定し、上記板体Ｄと可撓性フィルムＥとの間に衝撃に弱い物品Ｆを挟み込んで固定する緩衝用物品収納体である。
【０００５】
特許文献１のように、対向する上下の可撓性フィルムＡ、Ｂによって物品Ｃを挟持する収納容器は、可撓性フィルムＡ、Ｂを２枚必要とするが、該可撓性フィルムは高価であり、安価な収納容器を得ることはできなかった。
【０００６】
また、可撓性フィルム相互又は特許文献２の可撓性フィルムと板体との組み合わせによって物品を保持する手段は、様々な異なる形状の物品を保持する手段として有効であり、且つ、反復使用が可能なため便利であるが、多数の同一物品を同時に収納保持するには内側に位置する物品の挟持力を十分得ることができないため該物品が左右上下に移動し、物品相互が接触するおそれがあった。
【先行技術文献】
【特許文献】
【０００７】
【特許文献１】実用新案登録第３１４５８６４号公報
【特許文献２】実用新案登録第３１９２６８９号公報
【考案の開示】
【考案が解決しようとする課題】
【０００８】
本考案は、上記欠点を解決したもので、一方側に可撓性フィルムを位置させ、他方側に多数の物品収納用小部屋となる小空間部を設けたので、収納した物品の左右上下への移動を防止することができ、且つ、小空間部を形成する仕切部を空間部を有する２重壁としたことにより個々の物品への外力による衝撃を防ぐことができるようにしたものである。
【課題を解決するための手段】
【０００９】
本考案は、底部、側壁部及び該側壁部の上端部より外方へ突出した鍔部を形成して上方を開口部とした透明又は半透明のプラスチックで、該開口部を弾発力の強い可撓性フィルムで被覆し、該可撓性フィルムの端部を該鍔部上面にて固定してなる蓋側容器と、底部、側壁部、該側壁部の上端部より外方へ突出した鍔部及び該底部より上方へ立ち上げた内壁を形成した仕切部を設けていくつかの小空間部を形成した上方を開口部とした透明又は半透明のプラスチックで、該仕切部は小間隔の空間のある２重壁としてその上端相互を鍔部より底部側に下げた位置で天端部として連結してなる物品配設側容器とよりなり、両容器の該鍔部の一片側相互を連結してヒンジ部として該両容器を開閉自在とし、該小空間部を衝撃に弱い物品の収納部としてなる物品収納容器を特徴とする。
【００１０】
また、上記可撓性フィルムは、鍔部に溶着一体化してなる物品収納容器を特徴とする。
【００１１】
更に、上記両鍔部の対向位置に着脱自在の係止部を設けてなる物品収納容器を特徴とする。
【００１２】
また、側壁部に内側へ突出する突出部を形成してなる物品収納容器を特徴とする。
【００１３】
更に、上記両鍔部又は物品配設側容器の鍔部に通風連通孔を設けてなる物品収納容器を特徴とする。
【考案の効果】
【００１４】
本考案は、衝撃に弱い物品を仕切部によって仕切られた小空間部に個別に収納することができるので、複数の物品を所定位置にすばやく収納することが可能となった。
【００１５】
また、空間のある２重壁よりなる仕切部によって仕切られた小空間部を構成しているので、該仕切り２重壁が緩衝材としての役割を成すことができ、収納された物品相互が直接接することはなく、物品の損傷を防止することが可能となった。
【００１６】
更に、蓋側容器及び物品配設側容器の側壁部に内側へ突出する突出部を設けること並びに物品配設側容器に複数の小空間部を形成することにより収納容器本体の強度を高めることが可能となった。
【図面の簡単な説明】
【００１７】
【図１】本考案の物品収納容器の蓋側容器を開放した状態の斜視図。
【図２】本考案の物品収納容器の物品配設側容器の仕切り部の一部断面図。
【図３】本考案の物品収納容器において物品を収納して蓋側容器を閉鎖した状態の側断面図。
【図４】（ａ）、（ｂ）本考案の物品収納容器の小空間部の他の実施例の側断面図。
【図５】従来の上下の弾性フィルム間に物品を固定させた収納容器の断面図。
【図６】従来の弾性フィルムと弾力が得られる板体間に物品を固定させた収納容器の断面図。
【考案を実施するための形態】
【００１８】
以下、図面を参考に本考案を実施するための最良の形態についてその実施例を説明する。
【実施例１】
【００１９】
本考案の物品収納容器１は、図１に示すように、蓋側容器２と物品配設側容器３とをヒンジ部４により連結し、開閉自在に形成している。
【００２０】
該蓋側容器２は、底部５、側壁部６、該側壁部６の上端部の周囲より外方へ突出した連続する鍔部７及び該鍔部７に固定された開口部全体を被覆してなる弾発力の強い可撓性フィルム８とよりなる透明又は半透明のプラスチックである。
【００２１】
該可撓性フィルム８は、弾発力の強い合成樹脂フィルムよりなり、該蓋側容器２の鍔部７の表面に溶着等の手段により強固に固定され、物品配設側容器３内に収納された物品を強く押圧することになる。
【００２２】
該物品配設側容器３は、底部９、側壁部１０、該側壁部１０の上端部周囲より外方へ突出した連続する鍔部１１及び該底部９より上方へほぼ垂直状に立ち上げた内壁を形成する仕切部１２を形成し、該側壁部１０と仕切部１２間又は仕切部１２相互間を上方が開放した小空間部Ｓとし、該小空間部Ｓを複数個設けてなる透明又は半透明のプラスチックより形成している。
【００２３】
該仕切部１２は、図２に示すように、側壁部１０の内側から直交方向へ突出して井型とすることにより複数個の小空間部Ｓを形成しているが、該仕切部１２は、底部９からほぼ垂直方向へ立上がり、小間隔Ｔを設けて空間の有る２重側壁部を形成する仕切部１２ａ、１２ｂ及び仕切部１２ａ、１２ｂの天端間を連結する天端部１２ｃとよりなり、一方の仕切部１２ａが受けた衝撃が他方の仕切部１２ｂへ直接伝わらないようにしている。
【００２４】
また、底部９から天端部１２ｃまでの高さＨ１は、蓋側容器２の開口部を被覆した可撓性フィルム８の張設位置までの高さＨ２より低くし、該可撓性フィルム８と接することがないように形成している。
【００２５】
上記構成により、図３に示すように、小空間部Ｓに配設された物品への衝撃が仕切部１２ａ、１２ｂを通じて隣接する小空間部Ｓに配設された他の物品に直接伝わらないようにしている。同時に、可撓性フィルム８から天端部１２ｃを通じて他の物品に衝撃が直接伝わらないようにしている。
【００２６】
図１に示すように、鍔部７又は鍔部１１のいずれか一方の鍔部に切り込み部１３、他方の鍔部に挿入片１４を各々対向する位置に形成することで両者を係止部とし、小空間部Ｓ内に物品を収納した後、蓋側容器２を物品配設側容器３上へ回動閉鎖して係止部で固定することで個々の物品を強く押えることができるものである。
【００２７】
また、蓋側容器２の側壁部６及び物品配設側容器３の側壁部１０に内側へ突出する突出部１５を各々の底部５、９側から鍔部７、１１側へ立ち上げて設けることにより該側壁部１０の強度を増すことができる。
【００２８】
更に、鍔部７及び鍔部１１のいずれか一方又はその双方の長手方向に連続する溝部１６を設けることにより、蓋側容器２で物品配設側容器３を閉鎖したときに収納した物品に対して外気との連通手段となる通風連通孔とすることができる。
【００２９】
上記蓋側容器２と物品配設側容器３とはヒンジ部４によって連結されているが、該ヒンジ部４をミシン目を形成することにより折り曲げ自在を可能とし開閉自在とすることができる。
【００３０】
また、プラスチックの射出成型等により蓋側容器２と物品配設側容器３とを一体とした物品収納容器として製造することができる。
【実施例２】
【００３１】
図４（ａ）に示すように、小空間部Ｓを形成する底部９の周囲を外方へ突出した膨出部１７を形成すること或いは図４（ｂ）に示すように、小空間部Ｓの底部に弾性体１８を固定又は敷設すること等により、物品に対しての底部側からの衝撃を緩衝する機能を物品収納容器に与えることができる。
【符号の説明】
【００３２】
１          物品収納容器
２          蓋側容器
３          物品配設側容器
４          ヒンジ部
５、９      底部
６、１０    側壁部
７、１１    鍔部
８          可撓性フィルム
１２        仕切部
１３        切り込み部
１４        挿入片
１５        突出部
１６        溝部
１７        膨出部
１８        弾性体
【図１】
0003201756.tif 000003
【図２】
0003201756.tif 000004
【図３】
0003201756.tif 000005
【図４】
0003201756.tif 000006
【図５】
0003201756.tif 000007
【図６】
0003201756.tif 000008